(57)【要約】【課題】外観を損なうことなく基板を衝撃から保護すると共に、基板の傾き精度や水平方向における位置精度を高くする。【解決手段】弾性枠体７８は、四角形の枠状に一体に形成され、その内側に、基板７４の周縁部７４ａが嵌着保持される。表側ケース７０と裏側ケース９０とを合わせて、各ボス８６にネジ８９を螺合すると、裏側ケース９０の突き上げ部９３、９４及びサイドリブ９１の先端に弾性枠体７８の裏側面が押圧され、弾性枠体７８のテーパ面７８ｃ１〜７８ｃ４が、それぞれ対応する表側ケース７０のテーパ面７２ｄ１〜７２ｄ４に対して強く当接し、密着する。これにより、基板７４が弾性枠体７８を介して装置本体５０に保持される。【選択図】図５
2008236696.tif 000002
【特許請求の範囲】
【請求項１】
操作子が表面に配されたケース体と、
基板と、
弾性体でなり、前記基板の周縁部を保持した基板保持部材とを有し、
前記基板保持部材が、前記ケース体の内面に接するように該ケース体に保持されることで、前記基板が前記基板保持部材を介して前記ケース体に保持されたことを特徴とする携帯型電子装置。
【請求項２】
前記ケース体は、第１ケースと第２ケースとを嵌め合わせて、前記第１ケースと前記第２ケースとを嵌め合わせ方向に締結手段で締結してなり、前記基板を保持した前記基板保持部材が前記第１ケースと前記第２ケースとの間に介在した状態で、前記締結手段によって、前記第１ケースと前記第２ケースとが締結されることで、前記第１ケースと前記第２ケースとに前記基板保持部材が挟持されたことを特徴とする請求項１記載の携帯型電子装置。
【請求項３】
前記第１ケースには、前記第２ケース側に拡開したテーパ内側面が形成されると共に、前記基板保持部材には、前記テーパ内側面に対応するテーパ外側面が形成され、前記締結手段によって前記第１ケースと前記第２ケースとが締結されることで、前記第２ケースにより前記基板保持部材が前記第１ケース方向に押圧されると共に、前記テーパ内側面と前記テーパ外側面とが圧接状態となることを特徴とする請求項２記載の携帯型電子装置。
【請求項４】
前記第１ケース及び前記第２ケースのいずれか一方には、前記締結手段によって締結されるためのボスが、前記第１ケース及び前記第２ケースのいずれか他方の方向に突設され、前記基板保持部材には、前記ボスに対応する逃げ部が形成されていることを特徴とする請求項１〜３のいずれか１項に記載の携帯型電子装置。
【発明の詳細な説明】
【技術分野】
【０００１】
本発明は、身体に装着あるいは携帯して使用される携帯型電子装置に関する。
【背景技術】
【０００２】
従来、音楽再生装置や携帯電話等の、身体に装着あるいは携帯して使用される携帯型電子装置が知られている。この種の装置を衝撃から保護するために、下記特許文献１に示されるように、電子装置本体の外装として、緩衝用のカバーを設けたものが知られている。
【特許文献１】特開２００４−１７２６７７号公報
【発明の開示】
【発明が解決しようとする課題】
【０００３】
しかしながら、上記特許文献１等の装置のように、本体の外装に緩衝機能を設けると、外観が悪化するという問題がある。
【０００４】
ところで、電子装置においては特に、本体内部の構成要素のうち、各種電子部品が配設される基板を保護することが重要である。また、基板には、操作子の操作によって押圧されるスイッチ等が配設されるため、正確な動作を確保するために、基板の配設に際し、傾きや位置の精度は高く維持する必要がある。
【０００５】
本発明は上記従来技術の問題を解決するためになされたものであり、その目的は、外観を損なうことなく基板を衝撃から保護すると共に、基板の傾き精度や水平方向における位置精度を高くすることができる携帯型電子装置を提供することにある。
【課題を解決するための手段】
【０００６】
上記目的を達成するために本発明の請求項１の携帯型電子装置（４０）は、操作子（５２ａ）が表面（５０ｅ）に配されたケース体（５０）と、基板（７４）と、弾性体でなり、前記基板の周縁部（７４ａ）を保持した基板保持部材（７８）とを有し、前記基板保持部材が、前記ケース体の内面（７２ｄ１〜７２ｄ４）に接するように該ケース体に保持されることで、前記基板が前記基板保持部材を介して前記ケース体に保持されたことを特徴とする。
【０００７】
好ましくは、前記ケース体は、第１ケース（７０）と第２ケース（９０）とを嵌め合わせて、前記第１ケースと前記第２ケースとを嵌め合わせ方向に締結手段（８９）で締結してなり、前記基板を保持した前記基板保持部材が前記第１ケースと前記第２ケースとの間に介在した状態で、前記締結手段によって、前記第１ケースと前記第２ケースとが締結されることで、前記第１ケースと前記第２ケースとに前記基板保持部材が挟持される（請求項２）。
【０００８】
好ましくは、前記第１ケースには、前記第２ケース側に拡開したテーパ内側面（７２ｄ１〜７２ｄ４）が形成されると共に、前記基板保持部材には、前記テーパ内側面に対応するテーパ外側面（７８ｃ１〜７８ｃ４）が形成され、前記締結手段によって前記第１ケースと前記第２ケースとが締結されることで、前記第２ケースにより前記基板保持部材が前記第１ケース方向に押圧されると共に、前記テーパ内側面と前記テーパ外側面とが圧接状態となる（請求項３）。
【０００９】
好ましくは、前記第１ケース及び前記第２ケースのいずれか一方には、前記締結手段によって締結されるためのボス（８６）が、前記第１ケース及び前記第２ケースのいずれか他方の方向に突設され、前記基板保持部材には、前記ボスに対応する逃げ部（７８ａ）が形成されている（請求項４）。
【００１０】
なお、上記括弧内の符号は例示である。
【発明の効果】
【００１１】
本発明の請求項１によれば、外観を損なうことなく基板を衝撃から保護すると共に、基板の傾き精度や水平方向における位置精度を高くすることができる。
【００１２】
請求項２によれば、基板保持部材を、専用のネジを用いることなくケース体内に固定することができる。
【００１３】
請求項３によれば、基板の傾き精度や水平方向における位置精度を一層高くすることができる。
【００１４】
請求項４によれば、基板付きの基板保持部材を組み付けるに際し、ボスをガイドにして、基板を第１ケースと第２ケースとの間に水平な状態で介在させることが容易となり、基板の傾き精度や水平方向における位置精度を一層高くすることができる。
【発明を実施するための最良の形態】
【００１５】
以下、本発明の実施の形態を図面を参照して説明する。
【００１６】
図１（ａ）は、本発明の一実施の形態に係る携帯型電子装置を含んで構成される装着型電子装置がユーザの腕に装着された状態を示す図である。この装着型電子装置１００は、例えば、フィットネスと音楽聴取の機能を併せ持つ音楽再生装置として構成されるが、これに限られず、携帯型または身体装着型の各種の電子装置に適用される。図１（ａ）に示すように、装着型電子装置１００は、音楽再生装置４０と、音楽再生装置４０を支持してユーザ２４の腕２５に装着するための装着ベルト３０とから構成される。
【００１７】
図１（ｂ）は、音楽再生装置４０の機能構成を示すブロック図である。図１（ｂ）に示すように、音楽再生装置４０は、ＲＯＭ１２、ＲＡＭ１３、記録装置１４、タイマ１６、通信インターフェイス１５、表示器１８、音源１９、サウンドシステム２０及びインターフェイス１７が、バス１０を介してＣＰＵ１１にそれぞれ接続されて構成される。さらに、インターフェイス１７には、加速度センサ２１、心拍センサ２２のほか、各種情報を入力するための複数のスイッチを含む操作子群２３が接続されている。サウンドシステム２０は音源１９にも接続され、タイマ１６はＣＰＵ１１にも接続されている。
【００１８】
通信インターフェイス１５には、ＭＩＤＩ（Musical Instrument Digital Interface）インターフェイスやＵＳＢ（Universal Serial Bus）等が含まれる。通信インターフェイス１５を通じて、パーソナルコンピュータ等の他の機器に接続し、情報のやりとりが可能である。記録装置１４は、フラッシュメモリ等の不揮発性メモリで構成される。記録装置１４には、各種プログラム、取得した楽曲データ、音楽再生装置４０の機器設定情報、フィットネス利用時の各種データ、管理データ等が記憶可能である。
【００１９】
加速度センサ２１は、音楽再生装置４０にかかる加速度を検出する。検出した加速度から、運動者１の歩行状態が検出可能であり、それにより歩行数がカウント可能である。心拍センサ２２は、ユーザ２４の耳たぶ等に装着されて、脈拍を検出する。加速度センサ２１、心拍センサ２２の検出信号は、インターフェイス１７を介してＣＰＵ１１に入力され、記録装置１４に記憶される。操作子群２３の操作状態を示す信号も、インターフェイス１７を介してＣＰＵ１１に入力される。
【００２０】
ＣＰＵ１１は、本音楽再生装置４０の制御を司る。ＲＯＭ１２は、ＣＰＵ１１が実行する制御プログラムや各種テーブルデータ等を記憶する。ＲＡＭ１３は、演奏データ、テキストデータ等の各種入力情報、各種フラグやバッファデータ及び演算結果等を一時的に記憶する。タイマ１６は、タイマ割り込み処理における割り込み時間等の各種時間を計時する。音源１９は、ＣＰＵ１１の指示に応じて、演奏データ等を楽音信号に変換する。サウンドシステム２０は、アンプ等を含んで構成され、音源１９から入力される楽音信号を音響に変換する。
【００２１】
図２は、装着型電子装置１００の外観図である。音楽再生装置４０は表示画面５９、電源スイッチ５５を有し、装着されたヘッドホンプラグ５７からコード５８が延設される。再生される音楽は、コード５８を通じてヘッドホン２８で聴くことができる（図１（ａ）参照）。左右に分岐したコード５８の一方の途中から、心拍センサ２２用のコードが分岐している（図１（ａ）参照）。
【００２２】
装着型電子装置１００は、装着ベルト３０が腕２５の主に二の腕近傍に巻かれてユーザ２４の腕２５に装着される。その際、装着ベルト３０で形成される環状装着部Ｓ２内に腕２５が位置することになる。装着型電子装置１００が装着される腕２５は左腕とし、図２では、ユーザ２４の視点から見た外観が示されている。すなわち、同図において、環状装着部Ｓ２の手前左側が腕２５の付け根方向となる。音楽再生装置４０の向きは腕２５の動きによってたえず変化するため、以降、方向の呼称を統一する。
【００２３】
図２に表示したように、まず、表示画面５９がある側が「表側」、腕２５に対向する側を「底側」とする。また、側面については、ヘッドホンプラグ５７が装着される側の面がユーザ２４の腕２５の肩方向を向くので、この面の側を「肩側」、その反対側を「手先側」と呼称する。さらに、音楽再生装置４０は、通常、表示画面５９が左方を向くように装着されることが想定されるため、音楽再生装置４０の長手方向（腕２５の円周方向）については、音楽再生装置４０の電源スイッチ５５がある側を「前側」、その反対側を「後側」と呼称する。
【００２４】
図３は、音楽再生装置４０を表側からみた図である。図４は、非装着状態における装着型電子装置１００を肩側からみた図である。
【００２５】
図４に示すように、音楽再生装置４０は、音楽再生装置本体（以下、単に「装置本体」と称する）５０と、装置本体５０とは別体の台座４１とから構成される。台座４１は装着ベルト３０に常時固定されている。一方、装置本体５０は、装着面５０ｈ側が、台座４１に対して着脱自在に構成されている。装置本体５０及び台座４１の詳細な構成、並びに装着ベルト３０の構成については後述する。
【００２６】
装置本体５０の肩側の側面５０ｆには、端子５６が設けられ、端子５６には、心拍センサ接続端子が含まれる。端子５６に、上記したヘッドホンプラグ５７が差し込まれる（図２、図３参照）。また、図３に示すように、装置本体５０の前側面５０ｊには端子６０が設けられる。端子６０は、通信インターフェイス１５のうちＵＳＢ端子に相当する。
【００２７】
加速度センサ２１、ＲＯＭ１２、ＲＡＭ１３、記録装置１４、タイマ１６、音源１９、サウンドシステム２０（図１（ｂ）参照）は、装置本体５０に内蔵されている。表示器１８は、上記した表示画面５９を含み、表示画面５９は、液晶ディスプレイ（ＬＣＤ）等で構成され、各種情報を表示する。操作子群２３には、上記した電源スイッチ５５のほか、傾倒型の第１、第２操作子体５２Ａ、５２Ｂ、及び、押下操作子５３が含まれる（図２、図３参照）。
【００２８】
次に、装着ベルト３０及びその関連部分の構成を説明する。図４に示すように、装着ベルト３０は、第１ベルト部３１、第２ベルト部３２、第３ベルト部３３及びリング部材３６からなる。第１〜第３ベルト部３１〜３３は、繋がった１枚の帯として一体に形成され、樹脂または布等の可撓性のある部材を基材として一様の幅の帯状に構成される。
【００２９】
第３ベルト部３３には、不図示の複数のハトメによって、台座４１の底板部４２が固定されている。台座４１の第３ベルト部３３に対する固定手法は問わず、接着等であってもよく、また、着脱自在であってもよい。
【００３０】
図２、図３に示すように、第１ベルト部３１は、装置本体５０の表面５０ｅを覆っており、第１ベルト部３１には、窓部３１ｃが形成されている。装着型電子装置１００が装着された状態においては、窓部３１ｃから、表面５０ｅの表示画面５９及び操作子群２３（第１、第２操作子体５２Ａ、５２Ｂの各レバー部５２ａ、押下操作子５３等）の構成要素が露出する。第１ベルト部３１の途中にはリング部材３６が係合している。
【００３１】
装着型電子装置１００を腕２５に装着する際には、図２に示すように、装置本体５０の底部側（装着面５０ｈ側）において第２ベルト部３２をリング部材３６に挿通して折り返す。第２ベルト部３２のうち折り返しにより互いに対向する側の面には、一対の面ファスナ３５Ａ、３５Ｂが固着等により設けられている（図２、図４、図５参照）。２つの面ファスナ３５Ａ、３５Ｂが合わさることで第２ベルト部３２が折り返し状態で安定して固定される。
【００３２】
図３に示すように、電源スイッチ５５は、装置本体５０の表面５０ｅ内における前側且つ肩側に配設される。表示画面５９は、表面５０ｅ内における主に長手方向中央から後側半部にかけて配設される。第１、第２操作子体５２Ａ、５２Ｂは、表示画面５９に近接してそれぞれ表示画面５９の前側、後側に配設され、表示画面５９を挟んで互いに対峙している。
【００３３】
第１、第２操作子体５２Ａ、５２Ｂの各レバー部５２ａは、それぞれ斜め前方、斜め後方に傾倒して突設され（図４参照）、後述するように、いずれも表示画面５９側に力を加えられる操作がなされることで、表示画面５９側に（ほぼ垂直になる程度まで）倒れるようになっている。
【００３４】
押下操作子５３は、第１操作子体５２Ａの前側に近接して配置される。押下操作子５３は、押下式のスイッチである。押下操作子５３の肩側方向には、指掛け部５４が押下操作子５３に連接して突設されている。両者の突出高さは同一である。
【００３５】
装着型電子装置１００が左の腕２５に装着された状態で操作される場合は、通常、右手で操作することになる。その場合、図３に示すように、親指２６を指掛け部５４の上に乗せて第１操作子体５２Ａのレバー部５２ａに接触または近接させると共に、人差し指２７を第２操作子体５２Ｂのレバー部５２ａに接触または近接させた状態とすると、操作が行いやすくなっている。
【００３６】
第１、第２操作子体５２Ａ、５２Ｂの代表的な操作では、表示画面５９の表示を用いた音楽再生等に関する機器設定がなされ、表示画面５９に表示された、再生候補の楽曲名等の項目を選択するのに用いられる。また、音量や音色の変更等の楽音再生に関する機能だけでなく、フィットネス管理に関する表示や発音処理等の操作も行える。
【００３７】
次に、音楽再生装置４０及び装置本体５０の内部構成を説明する。図５は、図３のＡ−Ａ線に沿う断面図、図６は、図３のＢ−Ｂ線に沿う断面図である。装置本体５０は、表側ケース７０と裏側ケース９０とからなる。図７は、裏側ケース９０の表側面図、図８は、表側ケース７０の裏面図である。
【００３８】
裏側ケース９０は樹脂で一体に形成される。図７に示すように、裏側ケース９０には、表側ケース７０に対して締結固定されるための締結用穴９５が複数（４つ）形成される。締結用穴９５は、裏側ケース９０の後端部において、手先側端部及び肩側端部に設けられると共に、前端部において、手先側端部及び肩側端部より少し内側に設けられる。
【００３９】
裏側ケース９０の後端部において、２つの締結用穴９５の間に、突き上げ部９３が突設される（図５も参照）。また、前端部において、手先側端部及び肩側端部に、それぞれ突き上げ部９４が突設される。裏側ケース９０の手先側端部及び肩側端部には、裏側ケース９０の長手方向に沿ってサイドリブ９１が突設される（図６も参照）。突き上げ部９３、９４及びサイドリブ９１の高さは同じである。
【００４０】
図６、図７に示すように、裏側ケース９０の手先側端部及び肩側端部には、係止爪９２が形成されている（図４も参照）。一方、台座４１には、係止爪９２に対応する係止凹部４６が形成されている（図６参照）。装置本体５０を、その装着面５０ｈを台座４１側に向けて押し込むと、各係止凹部４６に、対応する係止爪９２が係止される。これにより、装置本体５０が台座４１に対して固定される。
【００４１】
また、台座４１の肩側端部には、取り外し用つまみ部４４が突出形成されている（図３、図４、図６参照）。台座４１から装置本体５０を取り外すには、取り外し用つまみ部４４を底側に押して、肩側の係止凹部４６と係止爪９２との係合を解いて、装置本体５０を表側方向に抜き取るように動かしながら、手先側の係止凹部４６と係止爪９２との係合も解く。これにより、装置本体５０が台座４１に対して取り外される。上述のように、台座４１は装着ベルト３０に常時固定されているため、これらの操作により、装着ベルト３０に対する装置本体５０の着脱が行える。
【００４２】
図６、図７に示すように、表側ケース７０は、外側の透明樹脂部７１と内側の黒色樹脂部７２とが２色成形により一体に形成されてなる。図５、図６に示すように、表側ケース７０の表側部分において、透明樹脂部７１の一部７１ａと黒色樹脂部７２の一部７２ａとが２層になって、パネル部７３を構成している。パネル部７３の表面であるパネル構成部７１ａの表面が、装置本体５０の表面５０ｅ（図２〜図４参照）となる。なお、表側ケース７０は、このような２層構造に限定されず、１層構造であってもよい。
【００４３】
図５、図８に示すように、表側ケース７０の裏側（厳密には黒色樹脂部７２の裏側）には、裏側ケース９０の４つの締結用穴９５に対応する位置に、ネジ穴付きのボス８６が４本突設されている。表側ケース７０の裏側にはまた、後述する押さえ板７６を固定するためのネジ穴付きのボス８７が、複数（例えば、７個）突設されている。
【００４４】
図５、図６、図８に示すように、表側ケース７０の裏面側において、後端部、前端部、肩側端部、手先側端部には、それぞれ裏側ケース９０方向に拡開したテーパ面７２ｄ１、７２ｄ２、７２ｄ３、７２ｄ４が形成されている。テーパ面７２ｄ２においては、裏側ケース９０方向に突出した、肩側からみて三角形の三角凸部８５が形成されている（図５、図８参照）。上記ボス８６のうち前端部の２つは、この三角凸部８５から延設され、後端部の２つは、テーパ面７２ｄ１から延設されている。
【００４５】
三角凸部８５には、端子６０に繋がる不図示の貫通穴が前後方向に沿って形成されており、この貫通穴は、ボス８６のうち前端部の２つの間に位置する。三角凸部８５及び上記貫通穴は、端子６０でのコードの抜き差しの際に力がかかる部分の強度向上に寄与している。
【００４６】
表側ケース７０の後半部には、窓枠７２ｃが形成されている。この窓枠７２ｃは、黒色樹脂部７２にだけＬＣＤ窓用透孔として設けられ、透明樹脂部７１には設けられていない（図５参照）。表示画面５９（図３参照）は、窓枠７２ｃの裏側において、パネル部７３と後述する押さえ板７６とに挟持される形で設けられている。従って、窓枠７２ｃを通じて、表示画面５９が視認される。
【００４７】
図５、図８に示すように、表側ケース７０のパネル部７３の裏面において、第１、第２操作子体５２Ａ、５２Ｂ（図３参照）に対応する位置には、それぞれ環状で裏面視略矩形のリブ枠７２ｂが突設形成されている。各リブ枠７２ｂの内側には、パネル部７３を（透明樹脂部７１及び黒色樹脂部７２に亘って）貫通した貫通穴７３ａが形成されている。表側ケース７０の裏面にはまた、押下操作子５３、電源スイッチ５５（図３参照）に対応する位置にも、それらに対応した形状のリブ枠が形成されている。
【００４８】
表側ケース７０と裏側ケース９０とは、嵌め合わされて固定される。両者の縁部間全周には、ゴムパッキン９６（図５〜図７参照）が介装され、合わせ面のシール性が確保される。表側ケース７０と裏側ケース９０との間に必要な構成要素を組み込んだ状態で両者を合わせて、裏側ケース９０の裏側から、締結用穴９５（図７参照）を介して各ボス８６にネジ８９（図５参照）を螺合して両者を固定することで、装置本体５０が構成される。
【００４９】
図５、図６に示すように、装置本体５０の内部において、裏側ケース９０の表側（図５、図６でいう上側）にはバッテリ９７が収容される。バッテリ９７の表側面にはスポンジ９８が貼着されている。スポンジ９８の表側に、基板７４が配設される。スポンジ９８は、バッテリ９７の表側面と基板７４の裏側面との間に置かれるだけでもよい。基板７４とパネル部７３との間には、押さえ板７６が配設される。基板７４は、シリコンゴムをはじめとする弾性樹脂等でなる弾性枠体７８を介して、表側ケース７０の内面に保持されている。基板７４及び押さえ板７６は、パネル部７３に対して平行である。
【００５０】
図９は、弾性枠体７８及びそれに保持された基板７４の斜視図である。基板７４には、第１、第２操作子体５２Ａ、５２Ｂ、及び、押下操作子５３に対応して、押圧式のスイッチであるタクトスイッチ７５が複数配設される。また、上記した端子５６、６０も配設される。弾性枠体７８は、四角形の枠状に一体に形成され、その内側に、基板７４の周縁部７４ａが嵌着保持される。基板７４の保持の態様は問わない。弾性枠体７８の外縁部の外側面は、テーパ面７８ｃ１、７８ｃ２、７８ｃ３、７８ｃ４となっており（図５、図６参照）、これらテーパ面７８ｃ１〜７８ｃ４の傾斜は、テーパ面７２ｄ１〜７２ｄ４（図８参照）と対応している。テーパ面７８ｃ３、７８ｃ４及びテーパ面７２ｄ３、ｄ４の傾斜角度は、金型抜き勾配程度の小さな角度であってもよい。
【００５１】
図８、図９に示すように、弾性枠体７８の後端部には、表側ケース７０の後端部の２つのボス８６との干渉を避ける位置に、逃げ部７８ａが２つ形成されている。逃げ部７８ａは、ボス８６の外形よりやや大きい幅を有する切り欠き部として形成される。また、弾性枠体７８の前端部には、表側ケース７０の前端部の２つのボス８６との干渉を避ける位置に逃げ部７８ｂが１つ形成されている。
【００５２】
弾性枠体７８が装置本体５０の内部に装着固定された状態では、裏側ケース９０の突き上げ部９３、９４及びサイドリブ９１（図５〜図７参照）が、弾性枠体７８の裏側に当接する。すなわち、表側ケース７０と裏側ケース９０とを合わせて、各ボス８６にネジ８９（図５参照）を螺合していくと、突き上げ部９３、９４及びサイドリブ９１の先端に弾性枠体７８の裏側面が押圧される。それによって、弾性枠体７８のテーパ面７８ｃ１〜７８ｃ４が、それぞれ対応するテーパ面７２ｄ１〜７２ｄ４に対して強く当接し、密着する。そのようになると、基板７４が弾性枠体７８を介して装置本体５０に保持されたことになる。しかも、同時に、ゴムパッキン９６（図５〜図７参照）により、表側ケース７０と裏側ケース９０との合わせ面の防滴性も確保される。
【００５３】
なお、バッテリ９７が装着されたとき、スポンジ９８（図５、図６参照）が弾性枠体７８に圧接するように構成してもよい。このようにすれば、テーパ面７８ｃ１〜７８ｃ４とテーパ面７２ｄ１〜７２ｄ４との圧接確保に寄与することができる。
【００５４】
テーパ面７８ｃ１〜７８ｃ４が四方に位置することから、基板７４の水平方向の位置が所期の位置となり、しかも、テーパ面７８ｃ１〜７８ｃ４が弾性枠体７８の外側面でもあることから、基板７４の傾き誤差が小さくて済み、水平に配設される。
【００５５】
図５に示すように、指掛け部５４は、透明樹脂部７１に突出形成されて透明であり、黒色樹脂部７２の、指掛け部５４に対応する位置には透孔７２ｅが形成されている。押さえ板７６の表側において、指掛け部５４に対応する位置には、不図示のＬＥＤが配設され、透孔７２ｅ及び指掛け部５４を通じて上記ＬＥＤの発光が視認されるようになっている。図５、図６に示すように、パネル部７３と押さえ板７６との間において、上記ＬＥＤ及び表示器１８（図１（ｂ）参照）と基板７４とを接続するフラットケーブル４５が配設されている。
【００５６】
図１０は、図３のＣ−Ｃ線に沿う断面図である。第１操作子体５２Ａ周りの構成は、第２操作子体５２Ｂと前後対称であるが同様であるので、第２操作子体５２Ｂ周りの構成を主に説明する。
【００５７】
押さえ板７６は、図５に示すように、各ボス８７（図８参照）に対して、裏側からネジ８８を螺合することで表側ケース７０に固定される。図１０に示すように、押さえ板７６には、第２操作子体５２Ｂ用のタクトスイッチ７５に対応する位置に、貫通穴７６ａが形成されている。貫通穴７６ａ内に、断面円形の押し子７７が表裏方向に摺動自在に挿通されている。
【００５８】
図１０に示すように、第２操作子体５２Ｂは、上記したレバー部５２ａのほかに、リブ枠７２ｂの内側に位置する支点部５２ｂ及びアクチュエータ部５２ｃを有して、樹脂等で一体に形成される。押さえ板７６と第２操作子体５２Ｂとの間に、弾力のある樹脂等でなる皿状パッキン８０が介装される。
【００５９】
皿状パッキン８０は、押さえ板７６に平行なシート状部８１と、シート状部８１の外縁部８１ａから全周に亘ってパネル部７３側に延設された延設部８２とを有して、全体が皿状に一体に形成される。シート状部８１において、押さえ板７６の貫通穴７６ａに対応する位置には、柔軟なスカート部８４を介して表側に膨出した、表面視円形の被駆動部８３が形成されている。被駆動部８３は、スカート部８４を介して表裏方向に変位しやすいようになっている。被駆動部８３は、押し子７７の表側端に常に当接している。
【００６０】
皿状パッキン８０は、表面視の外郭形状がリブ枠７２ｂ（図８参照）と同じであり、リブ枠７２ｂの外側面に嵌合されている。リブ枠７２ｂの外側面に皿状パッキン８０の延設部８２の内側面が当接している。押さえ板７６を表側ケース７０に締結固定する際に、表側ケース７０の各ボス８７（図８参照）に対して、ネジ８８（図５参照）を螺合していくと、リブ枠７２ｂの先端（裏側端）と押さえ板７６とで、皿状パッキン８０のシート状部８１の外縁部８１ａのうち延設部８２の内側位置の部分全周が密着挟持される。従って、リブ枠７２ｂの外側面と先端とにおいて、皿状パッキン８０が強く密着するので、シール性が高く、貫通穴７３ａを通じて基板７４側に水滴が浸入することが抑制される。
【００６１】
第２操作子体５２Ｂは、レバー部５２ａがパネル部７３から表側に突出しているが、レバー部５２ａより裏側の部分は、貫通穴７３ａよりも大きく、貫通穴７３ａから抜けないような形状になっている。貫通穴７３ａは、レバー部５２ａが傾倒動作可能な大きさ及び形状になっている。レバー部５２ａを前側に押圧操作すると、支点部５２ｂが回動支点となって、第２操作子体５２Ｂが図１０の時計方向に回動する。
【００６２】
従って、アクチュエータ部５２ｃは、主に、対応するタクトスイッチ７５側（裏側）に変位する。すると、アクチュエータ部５２ｃが皿状パッキン８０の被駆動部８３を介して、押し子７７を押圧するので、押し子７７の先端（タクトスイッチ７５側の端部）によって、タクトスイッチ７５が押圧駆動されることになる。また、被駆動部８３は、押圧されると、その反力がタクトスイッチ７５のバネ部（図示せず）に蓄積されるので、このバネ部による復帰力と、スカート部８４による表側への復帰力との協働によって、第２操作子体５２Ｂが反時計方向に回動して初期位置に復帰する。
【００６３】
支点部５２ｂは、皿状パッキン８０のシート状部８１の外縁部８１ａの内側における被駆動部８３を避けた位置に位置する。そして、第２操作子体５２Ｂの操作時においては、支点部５２ｂと、押さえ板７６の対応する部分とが協働して、シート状部８１を挟むように作用する。従って、傾倒操作によって、皿状パッキン８０がシールしている部分が空いてしまうような力が作用しないので、防滴効果を妨げることない。しかも、支点部５２ｂにかかる力がシート状部８１を介して押さえ板７６が受けるので、支点部５２ｂが安定支持される。
【００６４】
ところで、図８に示すように、第２操作子体５２Ｂのアクチュエータ部５２ｃの表側部と、黒色樹脂部７２の一部７２ａのうち、アクチュエータ部５２ｃの表側部と対向する部分７２ａａとの間には、非操作状態においてクリアランスＣＬ（例えば、０．３〜１ｍｍ程度）が生じるようになっている。これにより、上記のような傾倒操作による第２操作子体５２Ｂの毎回の動作が円滑になっている。
【００６５】
第１操作子体５２Ａ周りは第２操作子体５２Ｂ周りと前後対称であり、構成及び作用は同様である。また、押下操作子５３については、傾倒タイプではなく、対応するタクトスイッチ７５の方向に押圧操作されるタイプであるが、押し子７７を有するほか（図５参照）、皿状パッキン８０とは形状は異なるが同様の目的の皿状パッキンが介装される（図示せず）。
【００６６】
装置本体５０の組み付けは、次のようにしてなされる（図５、図１０参照）。まず、表側ケース７０の裏側から、貫通穴７３ａ等に第１、第２操作子体５２Ａ、５２Ｂ等を挿通し、リブ枠７２ｂに皿状パッキン８０を嵌合する。その他の構成要素も配設する。次に、押さえ板７６の貫通穴７６ａに押し子７７を挿通した状態で、押さえ板７６を皿状パッキン８０の裏側に当接させ、表側ケース７０の各ボス８７（図８参照）にネジ８８（図５参照）を螺合することで、押さえ板７６を表側ケース７０に固定する。
【００６７】
次に、予め弾性枠体７８に基板７４を保持させておき、基板７４を押さえ板７６に対向近接させる。その際、作業者は、表側ケース７０の４つのボス８６と、弾性枠体７８の逃げ部７８ａ、７８ｂとの位置を合わせることで、ボス８６が弾性枠体７８に干渉しないように弾性枠体７８を移動させ、弾性枠体７８の位置を適切に仮決めすることができる。それだけでなく、特に、逃げ部７８ａの幅が、表側ケース７０の前端部の２つのボス８６の外形よりやや大きいので、基板７４を水平にしたまま押さえ板７６に近接移動させる際、主にボス８６及び逃げ部７８ａが装着ガイドとなる。従って、基板７４が傾くことが抑制され、仮装着がやりやすい。
【００６８】
次に、表側ケース７０の裏側から、ゴムパッキン９６（図５〜図７参照）を装着した裏側ケース９０を合わせ、各ボス８６にネジ８９（図５参照）を螺合する。これにより、装置本体５０の組み付けが完了する。
【００６９】
本実施の形態によれば、基板７４の周縁部７４ａを保持した弾性枠体７８が、装置本体５０の内面でもあるテーパ面７２ｄ１〜７２ｄ４（図８参照）に接して装置本体５０に保持されたので、基板７４は、弾性枠体７８を介して間接的に装置本体５０に保持される。従って、落下や衝撃に対して、大事な基板７４を保護することができる。また、外装として装置本体５０の外側にプロテクタを設ける構成に比し、保護のために外観を損なうことがない。しかも、基板７４は、その周縁部７４ａが弾性枠体７８に保持され、さらに弾性枠体７８もその外縁部の外側面であるテーパ面７８ｃ１〜７８ｃ４が表側ケース７０に保持される構成であるので、基板７４の傾き精度や水平方向における位置精度を高くすることができる。特に、表側ケース７０と裏側ケース９０との締結により、テーパ面７２ｄ１〜７２ｄ４とテーパ面７８ｃ１〜７８ｃ４とが圧接される構成であるので、基板７４の配設精度が高い。
【００７０】
また、弾性枠体７８は、表側ケース７０と裏側ケース９０とを合わせてネジ８９（図５参照）で締結することで、裏側ケース９０の突き上げ部９３、９４及びサイドリブ９１と表側ケース７０のテーパ面７２ｄ１〜７２ｄ４とに挟持される構成であるので、弾性枠体７８及び基板７４自体を直接固定するための専用のネジが不要であり、構成及び固定作業が簡単である。
【００７１】
また、基板７４付きの弾性枠体７８を組み付けるに際し、ボス８６及び逃げ部７８ａが装着ガイドとなるので、装着作業が容易であるだけでなく、基板７４を表側ケース７０と裏側ケース９０との間に水平な状態で介在させることが容易となり、基板７４の傾き精度や水平方向における位置精度を一層高くすることができる。
【００７２】
本実施の形態によればまた、表側ケース７０のリブ枠７２ｂの先端（裏側端）と押さえ板７６とで、皿状パッキン８０のシート状部８１の外縁部８１ａ全周が密着挟持される（図１０参照）。従って、簡単な構成でありながら、第１、第２操作子体５２Ａ、５２Ｂが可動するための貫通穴７３ａを通じて基板７４側に汗等の水滴が浸入することを効果的に抑制することができる。
【００７３】
しかも、皿状パッキン８０は、シート状部８１の外縁部８１ａから全周に亘って延設された延設部８２を有して皿状に形成され、リブ枠７２ｂに嵌合されることで、リブ枠７２ｂの外側面に延設部８２の内側面が当接する。従って、防滴効果を一層高めることができる。
【００７４】
また、第１、第２操作子体５２Ａ、５２Ｂの支点部５２ｂは、皿状パッキン８０のシート状部８１の外縁部８１ａの内側における被駆動部８３を避けた位置であって、第１操作子体５２Ａ等の操作時において、支点部５２ｂと押さえ板７６の対応する部分とが協働してシート状部８１を挟むような位置に配設されたので、傾倒操作の際に、防滴効果を妨げることなく支点部５２ｂを安定支持することができる。さらに、シール部は、第１、第２操作子体５２Ａ、５２Ｂの操作によって可動したり、シール性を阻害する方向に力を受けたりする部分ではないので、長年の使用によりシール性が低くなるおそれもない。
【００７５】
なお、本実施の形態では、弾性枠体７８を配設するに際し、弾性枠体７８の外側面が表側ケース７０の内面に接するようにしたが、裏側ケース９０に接するように構成してもよい。その場合は、テーパ面７２ｄ１〜７２ｄ４に相当するテーパ面を、裏側ケース９０に設け、それに対応するテーパ面を弾性枠体７８に設ける。この場合の各テーパ面の傾斜（拡開方向）は、上記実施の形態のものとは逆となる。
【００７６】
なお、表側ケース７０と裏側ケース９０とを締結するためのボス８６は、裏側ケース９０に設け、表側ケース７０側からネジで締結する構成であってもよい。
【００７７】
なお、弾性枠体７８が装置本体５０の内面に接するように、基板７４を間接的に保持して基板７４を衝撃から保護する観点に限れば、弾性枠体７８と装置本体５０の内面とは、テーパ面同士で接する構成でなくてもよい。
【００７８】
また、基板７４の水平方向における位置精度を確保する上で、四方でなく２方向にだけを重視する場合は、弾性枠体７８と装置本体５０との接触する箇所は、四方でなく２方向であってもよい。
【００７９】
なお、皿状パッキン８０は皿状に構成されたが、簡単な構成でシール性を確保する観点からは、これに限られない。例えば、延設部８２を廃止したシート状部８１だけの構成であったとして、表側ケース７０のリブ枠７２ｂと押さえ板７６とでシート状部８１の外縁部８１ａ全周が密着挟持されるだけでも、防滴効果は得られる。
【００８０】
なお、タクトスイッチ７５（図１０参照）に代えて、ストロークをもってスイッチングするものであれば、その種類や構成は問わず採用することができる。その場合、主として、採用したスイッチ（例えば、椀状ゴムスイッチ）の弾性によって、第１操作子体５２Ａ等を初期位置に復帰させるように構成してもよい。
【００８１】
また、本実施の形態のスイッチの防滴構造が適用される操作子体は、第１操作子体５２Ａのような傾倒操作タイプに限られず、押下操作子５３（図２参照）をはじめ、パネル部７３との間にクリアランスが生じるような各種の操作子体が適用可能である。
【００８２】
なお、皿状パッキン８０の被駆動部８３（図１０参照）は膨出型であったが、タクトスイッチ７５方向に可動及び復帰できればよく、これに限られない。例えば、「被駆動部８３」という特別な部分を設けるのではなく、シート状部８１を一様に平坦に形成し、そのうち、アクチュエータ部５２ｃによって押圧駆動される部分を被駆動部とみなしてもよい。
【００８３】
なお、装着ベルト３０に腕２５を通す際の方向は、例示したのと反対でもよい。また、音楽再生装置４０に対する装着ベルト３０の固定方向は、音楽再生装置４０の長手方向において例示したのと反対としてもよい。
【図面の簡単な説明】
【００８４】
【図１】本発明の一実施の形態に係る携帯型電子装置を含んで構成される装着型電子装置がユーザの腕に装着された状態を示す図（図（ａ））、音楽再生装置の機能構成を示すブロック図（図（ｂ））である。
【図２】装着型電子装置の外観図である。
【図３】音楽再生装置を表側からみた図である。
【図４】非装着状態における装着型電子装置を肩側からみた図である。
【図５】図３のＡ−Ａ線に沿う断面図である。
【図６】図３のＢ−Ｂ線に沿う断面図である。
【図７】裏側ケースの表側面図である。
【図８】表側ケースの裏面図である。
【図９】弾性枠体及びそれに保持された基板の斜視図である。
【図１０】図３のＣ−Ｃ線に沿う断面図である。
【符号の説明】
【００８５】
４０  音楽再生装置（携帯型電子装置）、  ５０  装置本体（ケース体）、  ５０ｅ  表面、  ５２ａ  レバー部（操作子）、  ７０  表側ケース（第１ケース）、  ７４  基板、  ７４ａ  周縁部、  ７８  弾性枠体（基板保持部材）、  ７８ａ  逃げ部、  ７２ｄ１〜７２ｄ４  テーパ面（内面、テーパ内側面）、  ７８ｃ１〜７８ｃ４  テーパ面（テーパ外側面）、  ８６  ボス、  ８９  ネジ（締結手段）、  ９０  裏側ケース（第２ケース）
【図１】
2008236696.tif 000003
【図２】
2008236696.tif 000004
【図３】
2008236696.tif 000005
【図４】
2008236696.tif 000006
【図５】
2008236696.tif 000007
【図６】
2008236696.tif 000008
【図７】
2008236696.tif 000009
【図８】
2008236696.tif 000010
【図９】
2008236696.tif 000011
【図１０】
2008236696.tif 000012